(57)【要約】【課題】  画質改善処理で消費する電力を削減することができ、これによって内部電源で長時間駆動することが可能な画像記録再生装置を提供する。【解決手段】  それぞれ内蔵電源で駆動される画像伸長回路１２と、その画像信号の画質を改善する画質改善回路１３と、伸長された画像信号及び画質改善された画像信号のいずれか一方を選択して出力するスイッチ１４と、再生画像を表示する内部画像表示装置１７、１８と、選択された画像信号を内部画像表示装置及び外部接続されるテレビ受信機３０に供給する駆動回路１５と、テレビ受信機が接続されていないことを検出する接続検出回路１６と、テレビ受信機が接続されていないとき、画質改善回路の動作を停止するとともに、画質伸長回路の画像信号が選択されるようにスイッチを制御する制御手段１９とを備える。【選択図】  図１
2005159861.tif 000002
【特許請求の範囲】
【請求項１】
内蔵電源で駆動され圧縮処理された画像を再生又は記録再生する画像記録再生装置であって、
それぞれ前記内蔵電源で駆動され、圧縮処理された画像信号を伸長する画像伸長回路と、
伸長された画像信号の画質を改善する画質改善回路と、
前記画像伸長回路で伸長された画像信号及び前記画質改善回路で改善された画像信号のいずれか一方を選択して出力するスイッチと、
再生画像を表示する内部画像表示装置と、
前記スイッチで選択された画像信号を前記画像表示装置及び外部接続され得るテレビ受信機に供給することが可能な駆動回路と、
前記駆動回路にテレビ受信機が接続されていないことを検出する接続検出回路と、
前記テレビ受信機が接続されていないとき、前記画質改善回路の動作を停止するとともに、前記画質伸長回路の画像信号が選択されるように前記スイッチを制御する制御手段とを、
備えた画像記録再生装置。
【発明の詳細な説明】
【技術分野】
【０００１】
本発明は、バッテリなどの内蔵電源で駆動され、例えば、ＭＰＥＧ（Moving Picture Experts Group）などで圧縮処理された画像を再生又は記録再生する画像記録再生装置に関する。
【背景技術】
【０００２】
圧縮画像データを伸長して画像データに戻し、その再生画像を、装置に一体的に組み込まれた内部画像表示装置に表示するとともに、パーソナルコンピュータなどの外部画像表示装置を接続して再生画像を表示することを可能にし、かつ、パーソナルコンピュータが接続された場合には、内部画像表示装置の電源をオフ状態にすることにより、内部電源で長時間駆動することが可能なデジタルカメラが開示されている（下記の特許文献１参照）。
【特許文献１】特許第３２６８９９５号公報（段落００２９、図３）
【発明の開示】
【発明が解決しようとする課題】
【０００３】
ところで、画像記録再生装置としてのビデオカメラにおいては、ＭＰＥＧなどで圧縮処理された画像信号を伸長する場合、デブロッキングやデリンギングなどの画質改善処理が施されることが多い。このビデオカメラにテレビ受信機を接続して、撮影画像を見る場合には、画質改善効果は大きい。しかし、小型の内部画像表示装置、例えば、付属のビューファインダや液晶表示画面で画像を見る程度であれば画質改善処理の効果は現れにくい。
【０００４】
また、この画質改善回路が動作することに伴う電力の消費は無視できないものであるため、テレビ受信機が接続されたときに限り画質改善回路を動作させ、テレビ受信機が接続されていない状態で付属の内部画像表示装置で撮影状態を確認する場合には、画質改善回路の動作を停止させることが内部電源の電力消費を抑える上で有効である。上記従来のデジタルカメラにおいては、パーソナルコンピュータが接続されたとき、内部画像表示装置の電源をオフ状態にしているけれども、画質改善の効果が現れにくい状況で画質改善処理の回路をどのようにするかについては言及されていない。
【０００５】
一般に、ビデオカメラで撮影する場合、撮影した画像をその場で確認したいことが度々ある。したがって、このビデオカメラに上記従来のデジタルカメラの技術を適用したとしても、上記画質改善回路により必要以上にバッテリなどの内蔵電源の電力を消費してしまうという課題があった。
【０００６】
本発明は上記の課題を解決するためになされたもので、画質改善処理で消費する電力を削減することができ、これによって内部電源で長時間駆動することが可能な画像記録再生装置を提供することを目的とする。
【課題を解決するための手段】
【０００７】
本発明は、上記目的を達成するために圧縮処理された画像信号を画像伸長回路によって伸長した後、画質改善回路によって画像信号の画質を改善して内部画像表示装置に表示したり、テレビ受信機を接続して表示したりするに当たり、テレビ受信機が接続されていないことを検出する接続検出回路と、テレビ受信機が接続されていないとき、画質改善回路の動作を停止するとともに、画質伸長回路の画像信号を内部画像表示装置に供給する制御手段とを備えたものである。
【発明の効果】
【０００８】
本発明は、上記のように構成したことにより、画質改善処理で消費する電力を削減することができ、これによって内部電源で長時間駆動することが可能な画像記録再生装置を提供することができる。
【発明を実施するための最良の形態】
【０００９】
以下、本発明を図面に示す好適な実施の形態に基づいて詳細に説明する。図１は本発明に係る画像記録再生装置の一実施の形態の構成を示すブロック図である。同図において、圧縮画像記録再生装置１０は、ビデオカメラの画像圧縮記録部を除去した構成に対応する、例えば、ビューワやポータブルＤＶＤに対応するもので、テープやディスクなどの記録メディアから画像圧縮信号を再生して出力する再生装置１１と、圧縮処理された画像信号を入力し伸長して出力する画像伸長回路１２と、伸長された画像信号を入力して画質改善を行って出力する画質改善回路１３と、制御信号によって画像伸長回路１２の出力と画質改善回路１３の出力のいずれか一方を選択して出力するスイッチ１４と、スイッチ１４から出力された画像信号を、内部画像表示装置としてのビューファインダ１７及び液晶モニタ１８に供給するとともに、出力端子２０にテレビ受信機（ＴＶ）３０が接続されたとき、このテレビ受信機３０にも画像信号を供給する駆動回路としての出力ドライバ１５と、出力端子２０にテレビ受信機３０が接続されていないことを検出するテレビ接続検出回路１６と、テレビ受信機３０が接続されていないとき、画質改善回路１３の動作を停止させるとともに、スイッチ１４が画像伸長回路１２の出力を選択して出力ドライバ１５に供給するように制御する、制御手段としてのマイコン１９とを備えている。
【００１０】
図２はテレビ接続検出回路１６の詳細な構成を、部分的にブロックで示した回路図である。これは出力ドライバ１５と出力端子２０とを接続する経路に抵抗Ｒ（＝７５Ω）を接続し、この両端に発生する電圧を検出する電圧検出回路２１と、この電圧検出回路２１の電圧検出信号からノイズとなる高周波成分を除去するローパスフィルタ２２と、このローパスフィルタ２２を通過した信号電圧と基準電圧を出力する電池２４の電圧とを比較してローパスフィルタ２２の出力が電池２４の電圧よりも低いとき、テレビ受信機３０が接続されていないことを検出して「Ｌ」レベルの信号をマイコン１９に加えるコンパレータ２３とを備えている。
【００１１】
上記のように構成された本実施の形態の動作について以下に説明する。圧縮画像記録再生装置１０において、再生装置１１はテープやディスクなどの記録メディアから圧縮された画像信号を再生して画像伸長回路１２に加える。画像伸長回路１２は圧縮された画像信号を伸長させて画質改善回路１３に加えるとともに、スイッチ１４の一方入力として加える。画質改善回路１３はマイコン１９の制御信号により、デブロッキングやデリンギングなどの画質改善処理を行ったり、これらの処理動作を停止したりするもので、画質改善処理を行った場合の画像信号をスイッチ１４の他方入力として加える。スイッチ１４はマイコン１９の制御信号によりこれに加えられる画像信号の一方を選択して出力ドライバ１５に加える。出力ドライバ１５は圧縮画像記録再生装置１０に付属するビューファインダ１７及び液晶モニタ１８に画像信号を供給するとともに、出力端子２０を介して、外部接続され得るテレビ受信機３０にも供給する。なお、出力端子２０はコンポジットビデオを出力するピン端子、Ｙ／Ｃセパレート信号を出力するＳ端子、コンポーネント信号を出力するＤ端子のいずれかを用いることができる。テレビ接続検出回路１６は出力端子２０にテレビ受信機３０が接続されていないことを検出してマイコン１９に「Ｌ」レベルの信号を加える。このとき、マイコン１９は画質改善回路１３の動作を停止させると同時に、スイッチ１４が画像伸長回路１２から出力される画像信号を選択して出力ドライバ１５に供給する制御信号を出力する。
【００１２】
図２に示すテレビ接続検出回路１６においては、出力端子２０にテレビ受信機３０が接続されたとき、その接続経路に流れる高周波電流によって抵抗Ｒに発生する電圧を電圧検出回路２１で検出し、ローパスフィルタ２２によって高周波成分を除去した信号レベルが、電池２４の基準電圧より低下したとき「Ｌ」レベルの信号を出力してマイコン１９に加える。
【００１３】
以上の説明によって明らかなように、圧縮画像記録再生装置１０の出力端子２０にテレビ受信機３０が接続されないとき、画質改善回路１３の動作が停止されるため、ビューファインダ１７や液晶モニタ１８によって撮影画像を確認しても、画質改善処理で消費する電力を削減することができ、これによって内部電源で長時間駆動することが可能になる。
【００１４】
なお、上述の実施の形態では、再生機能のみを持つ装置について説明したが、本発明はこれに適用を限定されるものではなく、画像信号を圧縮記録する圧縮記録装置を持つ周知のビデオカメラなどにも適用することができる。
【図面の簡単な説明】
【００１５】
【図１】本発明に係る画像記録再生装置の一実施の形態の構成を示すブロック図である。
【図２】図１に示した実施の形態を構成するテレビ接続検出回路の詳細な構成を、部分的にブロックで示した回路図である。
【符号の説明】
【００１６】
１０  圧縮画像記録再生装置
１１  再生装置
１２  画像伸長回路
１３  画質改善回路
１４  スイッチ
１５  出力ドライバ（駆動回路）
１６  テレビ接続検出回路（接続検出回路）
１７  ビューファインダ（内部画像表示装置）
１８  液晶モニタ（内部画像表示装置）
１９  マイコン（制御手段）
２０  出力端子
２１  電圧検出回路
２２  ローパスフィルタ
２３  コンパレータ
２４  電池
３０  テレビ受信機
【図１】
2005159861.tif 000003
【図２】
2005159861.tif 000004